(57)【特許請求の範囲】
【請求項１】
第１電極と、前記第１電極に対して間隔を隔てて配置された第２電極と、微小物質を担持可能な計測面をもつ試験片を保持する試験片保持部と、前記試験片の計測面に微小物質を供給する微小物質供給部と、前記第１電極及び前記第２電極に電圧を印加する電圧印加部とを具備しており、
前記第１電極及び前記第２電極は、前記試験片の計測面を挟む位置に配置されており、
前記第１電極及び前記第２電極に電圧を印加したとき、前記微小物質供給部の微小物質を前記第２電極に向けて電界誘導することにより、前記第１電極と前記第２電極との間に存在する前記試験片の計測面に担持させることを特徴とする微小物質誘導装置。
【請求項２】
請求項１において、前記試験片の計測面は金属膜または非金属物質で形成されていることを特徴とする微小物質誘導装置。
【請求項３】
請求項１または請求項２において、前記第１電極の電極面積は、前記第２電極の電極面積よりも小さいことを特徴とする微小物質誘導装置。
【請求項４】
請求項１〜請求項３のいずれか一項において、前記第１電極の少なくとも先端部と前記第２電極の少なくとも先端部とのうちの一方または双方は、針状または棒状とされていることを特徴とする微小物質誘導装置。
【請求項５】
請求項１〜請求項４のいずれか一項において、前記微小物質供給部は通路状とされており、前記第１電極の少なくとも先端部は、針状または棒状とされており、その先端部は通路状の前記微小物質供給部に進入していることを特徴とする微小物質誘導装置。
【請求項６】
請求項１〜請求項５のいずれか一項において、前記第２電極は、開口窓を有することを特徴とする微小物質誘導装置。
【請求項７】
請求項１〜請求項６のいずれか一項において、前記電圧印加部は、前記第１電極をマイナス極とすると共に前記第２電極をプラス極とする第１形態と、前記第１電極をプラス極とすると共に前記第２電極をマイナス極とする第２形態とに極性切替可能であることを特徴とする微小物質誘導装置。
【請求項８】
請求項１〜請求項７のいずれか一項において、前記第１電極は、前記試験片の計測面に対して相対変位可能とされており、前記第１電極を前記試験片の計測面に対して相対変位させることにより、前記第１電極と前記試験片の計測面との距離を調整可能な駆動部が設けられていることを特徴とする微小物質誘導装置。
【請求項９】
請求項１〜請求項８のいずれか一項において、前記試験片の計測面を入射目標位置とすると共に全反射する条件で検査光を前記試験片の計測面に入射させる発光部と、反射した検査光を受光する受光部と、前記発光部から入射される検査光の試験片に対する入射角を相対的に変化させる入射角変更部とを有し、表面プラズモン共鳴計測装置に用いられることを特徴とする微小物質誘導装置。
【発明の詳細な説明】
【０００１】
【発明の属する技術分野】
本発明は官能基、蛋白質、抗体、抗原、酵素等に代表される微小物質を誘導させる微小物質誘導装置に関する。
【０００２】
【従来の技術】
表面プラズモン共鳴計測装置を例にとって従来技術について説明する。特開平１０−３０７１０４号公報には、表面プラズモン共鳴計測装置が開示されている。この表面プラズモン共鳴計測装置は、図１０に示すように、電極２０１と、微小物質を担持可能な電極として機能する金属膜２０２をもつ試験片２０３と、微小物質が供給される微小物質供給部２０５と、電圧を印加する電圧印加部２０７とを備えている。試験片２０３の金属膜２０２は電極２０１に対面し、電極２０１の相手電極として構成されている。電極２０１は導線２０１ａを経て電圧印加部２０７に接続されていると共に、金属膜２０２は導線２０２ａを経て電圧印加部２０７に接続されている。
【０００３】
計測の際には、官能基、抗体、蛋白質等の微小物質を含む試料液を微小物質供給部２０５に供給した状態で、電圧印加部２０７から電極２０１及び金属膜２０２に電圧を直接的に印加する。電極２０１がマイナス極に、金属膜２０２がプラス極に印加されたときには、マイナスの極性を有する微小物質は金属膜２０２（プラス極）に向けて電界誘導され、金属膜２０２の表面に担持される。このように金属膜２０２は、微小物質が直接的に担持されるため、計測面としても機能する。
【０００４】
表面プラズモン共鳴計測装置においては、発光部３００から試験片２０３の電極である金属膜２０２に向けて検査光３０１を入射させる。入射された検査光３０１は、計測面である金属膜２０２で全反射し、受光部３０２で受光される。発光部３００から入射される検査光３０１が試験片２０３に入射する入射角θ１を変化させる。表面プラズモン共鳴の現象が生じると、反射した光の強度が急激に低下する。このため、反射した光の強度の急激な低下が受光部３０２により計測されるとき、試験片２０３に対する入射光の入射角を共鳴角として求める。共鳴角の大きさは、計測面である金属膜２０２に担持された微小物質の量に応じて変化する。このため共鳴角を求めれば、試験片２０３の計測面である金属膜２０２に担持されている微小物質を定量的に計測することができる。なお表面プラズモン共鳴の現象が生じると、反射した光の強度が急激に低下する理由としては、エバネッセント波の波数と表面プラズモンの波数とが一致して共鳴するためと考えられている。
【０００５】
【発明が解決しようとする課題】
ところで上記装置によれば、試験片２０３の計測面である金属膜２０２における微小物質の担持量を増加させて計測感度を向上させるためには、金属膜２０２と電極２０１との間の距離ＬＡをできるだけ近づけることが好ましい。しかしながら上記装置によれば、試験片２０３の計測面である金属膜２０２自体に電圧が直接的に印加されるため、試験片２０３の計測面である金属膜２０２と電極２０１との間の放電を回避すべく、試験片２０３の金属膜２０２と電極２０１との距離ＬＡを一定間隔以上離間させる必要がある。この結果、試験片２０３の計測面である金属膜２０２に担持させる微小物質の担持量には限界があり、計測感度の向上には限界があった。故に、微小物質供給部２０５に供給される試料液の微小物質の濃度が希薄のとき等には、計測には限界があった。また同一濃度の試料液を微小物質供給部２０５に供給したとしても、外乱等の影響を受け、計測結果にばらつきがあり、計測精度の向上には限界があった。
【０００６】
本発明は上記した実情に鑑みてなされたものであり、試験片の計測面に担持させる微小物質の担持量を確保するのに有利であり、微小物質の計測における計測感度の向上、計測精度の向上に貢献できる微小物質誘導装置を提供することにある。
【０００７】
【課題を解決するための手段】
本発明者は上記した課題のもとに、官能基、抗体、蛋白質等の微小物質を誘導させる微小物質誘導装置について鋭意開発を進めている。そして、試験片に形成されている計測面である金属膜に直接的に電圧を印加することを廃止し、試験片の金属膜と別の第２電極を設ける方式を採用し、第１電極及び第２電極を、試験片の計測面を挟む位置に配置すれば、上記した不具合を解消できることを知見し、試験で確認し、本発明を完成した。
【０００８】
即ち、本発明に係る微小物質誘導装置は、第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部とを具備しており、第１電極及び第２電極は、試験片の計測面を挟む位置に配置されており、第１電極及び第２電極に電圧を印加したとき、微小物質供給部の微小物質を第２電極に向けて電界誘導することにより試験片の計測面に担持させることを特徴とするものである。
【０００９】
本発明に係る微小物質誘導装置によれば、第１電極及び第２電極に電圧を印加したとき、微小物質供給部の微小物質は、第２電極に向けて電界誘導される。しかし微小物質が第２電極に向かう途中に試験片の計測面が存在するため、微小物質は試験片の計測面に担持される。試験片の計測面は、金属膜で形成されていても良いし、試験片自体の材質（一般的には樹脂やガラス等の非金属物質）で形成されていても良い。
【００１０】
本発明に係る微小物質誘導装置によれば、特開平１０−３０７１０４号公報に係る従来技術と異なり、試験片の計測面に電圧印加部から直接的に電圧を印加しないため、試験片の計測面と第１電極との距離を近づけることができる。よって試験片の計測面の担持部分において、電界誘導を行う電気力線の密度を高めることができ、従って微小物質を試験片の計測面に効率よく担持させることができ、試験片の計測面における微小物質の担持量を多くすることができる。更に試験片の計測面において電界誘導を行う電気力線の密度を高めることができるため、外乱等の影響を低減するのに有利となる。
【００１１】
【発明の実施の形態】
本発明によれば、微小物質供給部は微小物質を試験片の計測面に供給するものであり、通路状とすることができる。試験片保持部は試験片を保持するものであり、試験片を保持できる保持面、保持部材等で形成できる。微小物質は粒子レベルでも良いし、超微粒子レベルでも良いし、分子レベルや原子レベルでも良く、天然物質でも、人工物質でも良い。微小物質は一般的に極性を有するか、極性を発揮可能なものであり、官能基、蛋白質、抗体、抗原、酵素、ポリマー、モノマー、リガンド等から選ばれる少なくとも一つを例示できる。具体的には、ＤＮＡ、ＲＮＡ、アデニン、グアニン、シトシン、チミン等の核酸塩基、アデノシン、グアノシン、シチジン、チミジン等のヌクレオシド、ヌクレオチド、ペプチド等を例示することができる。更にグリシン、アラニン、システイン、リシン等のアミノ酸を例示することができる。官能基としては、リン酸基、カルボキシル基、スルホ基、アルデヒド基等を例示することができる。抗原としては、ダニアレルゲンとなり得るＤｅｒｆ１やＤｅｒｆ２（コナヒョウダニ），Ｄｅｒｐ１やＤｅｒｐ２（ヤケヒョウダニ）を例示できる。花粉抗原としてはスギＣｒｙｊ１，Ｃｒｙｊ２を例示できる。酵素としては、グルコースオキシターゼを例示できる。
【００１２】
第２電極は第１電極の相手電極となるものである。第２電極は試験片とは独立して設けることができる。第２電極が設けられているため、試験片に金属膜が付設されている場合であっても、試験片の金属膜を第２電極として用いずとも良い。従って試験片としては、金属膜を有しないものも用いることができる。勿論、試験片としては、金属膜を有するものを用いることもできる。金属膜としては、金、銀、銅、ニッケル、鉄、アルミニウム、ステンレス鋼等から選択される少なくとも１種で形成できる。検査光が試験片に入射される場合には、第２電極は、検査光やその反射光が透過する開口窓を有することが好ましい。開口窓により、検査光を用いた計測を支障無く行うことができる。
【００１３】
本発明の好ましい形態によれば、第１電極の電極面積は、第２電極の電極面積よりも小さい。この場合、第１電極の電極面付近における電気力線の密度を高くでき、電気力線に基づいて微小物質を高密度に電界誘導させるのに有利となる。第１電極の電極面積を小さくするため、好ましくは、第１電極の少なくとも先端部を針状または棒状とすることができる。第２電極の少なくとも先端部を針状または棒状とすることもできる。針状または棒状は、必要に応じて、電極径が３ｍｍ以下、２ｍｍ以下、１ｍｍ以下、０．５ｍｍ以下とすることができる。
【００１４】
本発明の好ましい形態によれば、微小物質供給部は通路状とされており、第１電極の少なくとも先端部は、針状または棒状とされており、その先端部は通路状の微小物質供給部に進入している。このように第１電極の針状または棒状の先端部を通路状の微小物質供給部に進入させれば、第１電極の針状または棒状の先端部を試験片の計測面に接近させることができ、電界誘導に影響を与える電気力線の密度を高くでき、従って、電気力線に基づいて微小物質を微小物質供給部に電界誘導させるのに有利となる。
【００１５】
電圧印加部は、第１電極及び第２電極に電圧を印加するものである。電圧は直流の電圧が好ましい。本発明に係る微小物質誘導装置の好ましい形態によれば、電圧印加部は、第１電極をマイナス極とすると共に第２電極をプラス極とする第１形態と、第１電極をプラス極とすると共に第２電極をマイナス極とする第２形態とに極性切替可能である。第１形態によれば、第１電極をマイナス極とすると共に第２電極をプラス極とするため、マイナス極となる第１電極側に、プラス極性を有する微小物質、あるいは、微小物質のプラス極性の部分を電界誘導できると共に、プラス極となる第２電極側に、マイナス極性を有する微小物質、あるいは、微小物質のマイナス極性の部分を電界誘導できる。
【００１６】
また電圧印加部の第２形態によれば、第１電極をプラス極とすると共に第２電極をマイナス極とするため、プラス極となる第１電極側に、マイナス極性を有する微小物質、あるいは、微小物質のマイナス極性の部分を電界誘導できると共に、マイナス極となる第２電極側に、プラス極性を有する微小物質、あるいは、微小物質のプラス極性の部分を電界誘導できる。第１電極と第２電極との間に印加する電圧としては、微小物質の種類、試料液の種類等の試験条件に応じて適宜選択することができ、３〜１０００Ｖを例示できるが、これに限定されるものではない。
【００１７】
本発明の好ましい形態によれば、試験片の計測面を入射目標位置とすると共に全反射する条件で検査光を試験片の計測面に入射する発光部と、反射した検査光を受光する受光部と、発光部から入射される検査光の試験片に対する入射角を相対的に変化させる入射角変更部とを有し、表面プラズモン共鳴計測装置に用いられる。発光部としては、半導体レーザ、発光ダイオード等を例示できる。検査光の指向性を考慮すると、半導体レーザを採用できる。発光部と試験片との間に偏光フィルタを設けることが好ましい。受光部としては、面フォトダイオード、リニアアレイ、ＣＣＤ素子を例示できる。入射角変更部は、発光部から入射される検査光の試験片に対する入射角を相対的に変化させるものである。入射角変更部は、試験片及び発光部のうちの少なくとも一方を回動させる方式を採用することができる。従って、試験片を回動させる駆動モータ等の駆動源を用いて形成しても良いし、発光部を回動させる駆動モータ等の駆動源を用いて形成しても良い。
【００１８】
表面プラズモン共鳴計測装置に用いられる場合には、試験片は、光透過性を有するガラスや樹脂等の透明体と、透明体に設けられた金属膜とを有することが好ましい。金属膜としては、金、銀、銅、ニッケル、鉄、アルミニウム、ステンレス鋼等から選択される少なくとも１種で形成できるが、計測性等を考慮すると金が好ましい。表面プラズモン共鳴を良好に計測するためには、金属膜は光透過性を有することが好ましい。従って金属膜は金属薄膜が好ましい。金属膜の厚みは１マイクロメートル以下にでき、殊に、５００ナノメートル以下にすることができ、なかでも３０〜８０ナノメートル、４０〜６０ナノメートルとすることができるが、こられに限定されるものではない。金属膜の製法としては蒸着等の物理的成膜、ＣＶＤ等の化学的成膜を例示できる。
【００１９】
表面プラズモン共鳴計測装置においては、試験片の計測面を入射目標位置とすると共に全反射する条件で検査光を発光部から発光し、検査光を試験片に入射する。検査光が全反射するため、全反射した光を受光部が受光する。発光部から入射される検査光の試験片に対する入射角を入射角変更部により相対的に変化させる。表面プラズモン共鳴の現象が生じると、反射した光の強度が急激に低下する。このため、反射した光の強度の急激な低下が受光部により計測されるとき、試験片に対する入射光の入射角を共鳴角として求める。共鳴角の大きさは、試験片５の計測面である金属膜５３に担持されている微小物質の担持量に応じて変化する。このため共鳴角を求めれば、試験片５の計測面である金属膜５３に担持されている微小物質を定量的に計測することができる。
【００２０】
本発明の好ましい形態によれば、第１電極は、試験片の計測面に対して相対変位可能とされており、第１電極を試験片の計測面に対して相対変位させることにより、第１電極と試験片の計測面との距離を調整可能な駆動部が設けられている。この場合、第１電極と試験片の計測面との距離を駆動部により調整できるため、試験片の計測面に対する微小物質の担持量を調整できる。
【００２１】
【実施例】
（第１実施例）
以下、本発明の第１実施例を図１〜図３を参照して説明する。本実施例は表面プラズモン共鳴計測装置における微小物質の誘導に適用した場合である。本実施例に係る装置は、基部１と、基部１に保持された第１電極２と、第１電極２に対して間隔を隔てて配置された第２電極３と、基部１に設けられ微小物質を担持可能な計測面をもつ試験片５を着脱可能に保持する試験片保持部４と、基部１に設けられ微小物質を含む試料液１００が供給される微小物質供給部６と、第１電極２及び第２電極３に電圧を印加する電圧印加部７とを具備しておりている。
【００２２】
微小物質供給部６は、試験片５の計測面である金属膜５３と第１電極２との間に位置するように設けられており、微小物質を含む試料液１００が供給される入口通路６０と、試料液１００が排出される出口通路６１と、入口通路６０及び出口通路６１の間に形成された検査通路６２とを有する。検査通路６２のうち試験片５の金属膜５３に対面する側は、開口６２ａとされている。入口通路６０には、微小物質を含む試料液１００が図略の試料液供給部から供給される。出口通路６１は微小物質を含む試料液１００を排出する。
【００２３】
試料液１００に含まれている微小物質は、粒子レベルでも良いし、超微粒子レベルでも良いし、分子レベル、原子レベルでも良く、天然物質でも、人工物質でも良い。微小物質は一般的に極性を有するか、極性を発揮可能なものであり、官能基、蛋白質、抗体、抗原、酵素、ポリマー、モノマー等から選ばれた少なくとも一つを例示できる。
【００２４】
本実施例で用いる試験片５はバイオ系のセンサチップであり、平坦な表面５２ｆ（第１電極２に背向する面）及び裏面５２ｒ（第１電極２に対向する面）を有するガラス等で形成された均等厚みの透明体５２と、透明体５２の平坦な裏面５２ｒに蒸着等の成膜手段により薄層状に積層された金属膜５３とを有する。透明体５２の厚みは一般的に３ミリメートル以下、１ミリメートル以下でであるが、これに限定されるものではない。金属膜５３は、透明体５２を介して第２電極３に背向するように試験片５の裏面５２ｒに形成されている。また金属膜５３は第１電極２に対向するように設けられている。なお、金属膜５３は金を基材としており、厚みは５００ナノメートル以下である。
【００２５】
試験片保持部４は、微小物質供給部６と試験片５の計測面である金属膜５３とが対面するように試験片５を保持するものであり、試験片５を固定的に保持することができる。この場合、試験片５の計測面である金属膜５３と試験片保持部４との間にマッチングオイルを介在させつつ、金属膜５３を試験片保持部４に宛う。
【００２６】
第１電極２は導電材料で形成されており、基部１を貫いた状態で設けられている。第１電極２と試験片５とで微小物質供給部６の検査通路６２を挟む位置に、第１電極２は設けられている。第１電極２の先端部２ｘは微小物質供給部６の検査通路６２の空間部分に進入している。第１電極２は、基部１を厚み方向に沿って延設された針状または棒状とされているため、第１電極２の先端部２ｘの電極面積（相手電極である第２電極３に向かう側の面積）は、面状の第２電極３の電極面積よりも小さい。故に第１電極２の先端部２ｘ付近における電気力線の密度を高くでき、電気力線に基づいて微小物質を試験片５の金属膜５３に電界誘導させるのに有利となる。
【００２７】
第１電極２は前述したように針状または棒状であり、その先端部２ｘは微小物質供給部６の検査通路６２内に進入している。第１電極２の先端部２ｘと金属膜５３との間隔Ｌは、０．５ミリメートル以下、殊に０．３ミリメートル以下、なかでも０．１ミリメートル以下に設定されている。このように針状または棒状の第１電極２の先端部２ｘを微小物質供給部６の検査通路６２内に進入させれば、第１電極２の先端部２ｘを試験片５の金属膜５３にできるだけ接近させることができ、微小物質供給部６の検査通路６２の検査通路６２付近における電気力線の密度を高くできる。よって、電気力線に基づいて微小物質を微小物質供給部６の検査通路６２に集中させるのに有利となる。
【００２８】
第２電極３は導電材料で形成されており、第１電極２の相手電極となるものであり、本実施例では面状電極である。第２電極３は試験片５の表面５２ｆ側に配置される。第２電極３は試験片５の表面５２ｆに接触させて配置しても良いし、間隔を隔てて配置されても良い。従って第２電極３は第１電極２と交差する方向、殊に直交する方向に沿って面状に配置される。第２電極３は、試験片５のうち検査光８４が入射される側である表面５２ｆ側において、試験片５とは独立して設けられている。第２電極３は、試験片５の表面５２ｆ側に配置される図略のプリズムの底面に固定したり、図略の電極保持部材により固定したりすることができる。
【００２９】
本実施例によれば、図１に示すように、第１電極２及び第２電極３は、試験片５の計測面である金属膜５３を挟む位置に配置されている。第２電極３には開口窓３０が発光部８０及び受光部８２に対面する側に設けられている。なお検査光８４は開口窓３０を透過できる。
【００３０】
電圧印加部７は、導線７３ａ及び７３ｃを介して第１電極２及び第２電極に電圧を印加するものであり、極性が切替可能である。電圧印加部７は、直流の電源７０と、電源７０の極性を切り替えする切替スイッチ部７１とを有する。電圧印加部７は、第１電極２をマイナス極とすると共に第２電極３をプラス極とする第１形態と、第１電極２をプラス極とすると共に第２電極３をマイナス極とする第２形態とに極性切替可能である。第１形態によれば、第１電極２をマイナス極とするため、第１電極２に、プラス極性を有する微小物質、あるいは、微小物質のプラス極性の部分を電界誘導できる。また第１形態によれば、第２電極３をプラス極とするため、第２電極３に、マイナス極性を有する微小物質、あるいは、微小物質のマイナス極性の部分を電界誘導できる。
【００３１】
第２形態によれば、第１電極２をプラス極とするため、第１電極２にもマイナス極性を有する微小物質、あるいは、微小物質のマイナス極性の部分を電界誘導できる。また第２形態によれば、第２電極３をマイナス極とするため、第２電極３に、プラス極性を有する微小物質、あるいは、微小物質のプラス極性の部分を電界誘導できる。
【００３２】
本実施例によれば、発光部８０が設けられている。発光部８０は、試験片５の金属膜５３を入射目標位置Ｍとすると共に全反射する条件で検査光８４を試験片５の金属膜５３の入射目標位置Ｍに入射させる。受光部８２は、検査光８４が反射した反射光８４ｘを受光する。入射角変更部８６は、発光部８０から入射される検査光８４の試験片５に対する入射角θ１を相対的に変化させるものであり、試験片５に対して発光部８０を矢印Ｗ１、Ｗ２方向に移動させる。発光部８０は半導体レーザまたは発光ダイオードで形成されている。入射角変更部８６は、発光部８０から入射される検査光８４の試験片５に対する入射角θ１を相対的に変化させるものであり、発光部８０を保持する可動体８６ａと、試験片５の金属膜５３において検査光８４の入射目標位置Ｍを回動中心域として可動体８６ａを矢印Ｗ１、Ｗ２方向に沿って移動させる駆動源８６ｂとで形成されている。発光部８０と試験片５との間に偏光フィルタ８５が設けられている。受光部８２としてはアレイ型検出器を採用することができる。
【００３３】
試験片５のうち計測面である金属膜５３に微小物質を担持させるにあたっては、図１に示すように、試験片５の金属膜５３と試験片保持部４とが対面して接触するように、試験片５が試験片保持部４に保持される。この状態で、微小物質を含む試料液１００が微小物質供給部６の入口通路６０から検査通路６２に矢印Ｓ１方向へ供給される。そして電圧印加部７により第１電極２及び第２電極３に直流の電圧を印加する。電圧印加部７の第１形態では、第１電極２をマイナス極とすると共に第２電極３をプラス極とする。図２は、第１電極２をマイナス極とすると共に第２電極３をプラス極としたときにおける担持状況を想像して示す。図２に模式的に示すように、検査通路６２内の試料液１００に含まれているマイナス極性を有する微小物質２００、微小物質２００のマイナス極性を有する部分は、プラス極となる第２電極３に向けて電界誘導されて矢印Ｐ１方向へ吸引される。しかし微小物質が第２電極３に向かう途中に試験片５の計測面である金属膜５３が存在するため、微小物質２００は試験片５の計測面である金属膜５３に担持される。
【００３４】
本実施例によれば、特開平１０−３０７１０４号公報に係る従来技術と異なり、試験片５の計測面である金属膜５３に電圧印加部７から直接的に電圧を印加しないため、試験片５の計測面である金属膜５３と第１電極２との距離Ｌを近づけることができる。よって微小物質が担持される部分の電気力線の密度を高めることができ、試験片５の計測面である金属膜５３に微小物質を効率よく担持させることができ、ひいては、試験片５の計測面である金属膜５３に担持される微小物質の担持量を多くすることができる。
【００３５】
このように試験片５の計測面である金属膜５３に微小物質を担持させた状態において、計測工程を行う。計測工程では、試験片５の金属膜５３を入射目標位置Ｍとすると共に全反射する条件で検査光８４を発光部８０から試験片５の金属膜５３に向けて発光させる。試験片５の金属膜５３において検査光８４の入射目標位置Ｍを第１電極２の先端部２ｘの延長線上領域または延長線近傍領域とすることができる。
【００３６】
検査光８４は試験片５の金属膜５３で全反射するため、全反射した反射光８４ｘは受光部８２で受光される。発光部８０から入射される検査光８４の試験片５の法線Ｙに対する入射角θ１を入射角変更部８６により相対的に変化させる。表面プラズモン共鳴の現象が生じると、前述したように、試験片５の金属膜５３で全反射した反射光８４ｘの強度は急激に低下する。このように全反射した反射光８４ｘの強度の急激な低下が受光部８２により計測されるとき、試験片５に対する入射光の入射角θ１を共鳴角として求める。共鳴角の大きさは、微小物質の量に応じて変化するため、共鳴角を求めれば、微小物質供給部６の検査通路６２に担持されている微小物質の量を定量的に計測することができる。
【００３７】
本発明者らは試験を行った。この試験では、リン酸緩衝液を検査通路６２に、つまり、第１電極２と第２電極３との間に、５マイクロリットル／分の流速で供給した。リン酸緩衝液中には、プラス帯電のナトリウム基及びカリウム基と、マイナス帯電のリン酸基とが混在している。表面プラズモン共鳴による計測においては分子量等の制約があり、分子量が大きいものは計測し易いが、リン酸基、ナトリウム基、及びカリウム基等は本来的には計測しにくいものである。
【００３８】
本試験では、第１電極２と第２電極３との間に電圧（５００Ｖの直流電圧）を印加し、溶液中のリン酸基を試験片５の金属膜５３に電界誘導させた。このように試験片５の金属膜５３へのリン酸基の誘導操作を行った後で、表面プラズモン共鳴により発生した共鳴角の変化を求めた。試験結果を図３に示す。図３の横軸は測定時間（秒,最初の１００秒は電圧無印加）、縦軸は共鳴角の大きさを示す。図３の特性線Ｗ１、Ｗ２、Ｗ３において黒色部分はプロット点の集合を示す。特性線Ｗ１は電圧無印加の場合を示す。特性線Ｗ１に示すように、電圧無印加のときには、共鳴角の変化は認められなかった。特性線Ｗ２は、第１電極２をマイナス極に印加すると共に第２電極３をプラス極に印加したときにおける共鳴角の変化を示す。この場合、マイナス帯電のリン酸基が第２電極３（プラス極）に電界誘導され、試験片５の金属膜５３に担持される。従って特性線Ｗ２は、マイナス帯電のリン酸基が試験片５の金属膜５３に担持された担持量に相当するものと推察される。このように表面プラズモン共鳴による計測においては、分子量等の関係で本来的には計測しにくいリン酸基であっても、電界誘導すれば、試験片５の金属膜５３に効率よく担持され、計測を行うことができる。
【００３９】
図３の特性線Ｗ３は、第１電極２をプラス極に印加すると共に第２電極３をマイナス極に印加したときにおける共鳴角の変化を示す。この場合、プラス帯電のナトリウム基及びカリウム基は第２電極３（マイナス極）に電界誘導され、試験片５の金属膜５３に担持される。従って特性線Ｗ３は、プラス帯電のナトリウム基及びカリウム基が試験片５の金属膜５３に担持された量に相当すると推察される。このように表面プラズモン共鳴による計測においては、本来的には計測しにくいナトリウム基及びカリウム基であっても、電界誘導すれば、計測性を改善することができる。なお、上記した試験結果に基づけば、共極性の強さ及び分子量から、リン酸基よりもナトリウム基及びカリウム基は、共鳴角の変化に与える影響が少ないものと推察される。なお、特性線Ｗ２、Ｗ３は一般的には時間が経過すると、飽和状態またはこれに近い状態となる。特性線Ｗ２、Ｗ３による共鳴角、または、特性線Ｗ２、Ｗ３の勾配により計測を行うことができる。
【００４０】
以上説明したように本実施例によれば、第１電極２及び第２電極３に電圧を印加したとき、微小物質供給部６に供給された官能基、抗体、蛋白質等の微小物質は第２電極３に向けて電界誘導される。しかし微小物質が第２電極３に向かう途中に試験片５の計測面である金属膜５３が存在するため、電界誘導される微小物質は試験片５の計測面である金属膜５３に担持される。このため本来的には担持されにくい微小物質であっても、あるいは、試料液１００に含まれている微小物質の濃度が少ないときであっても、微小物質を電界誘導により試験片５の計測面である金属膜５３に担持させ、担持量を増加させることができる。
【００４１】
本実施例によれば、特開平１０−３０７１０４号公報に係る従来技術と異なり、第１電極２の相手電極として、試験片５の金属膜５３を採用する方式を廃止し、第２電極３を新しく設けている。このため試験片５の計測面である金属膜５３に電圧印加部７から直接的に電圧を印加せずに済む。このため放電を回避しつつ、試験片５の計測面である金属膜５３と第１電極２との距離Ｌをできるだけ近づけることができる。よって試験片５の金属膜５３において微小物質を担持させる担持部分における電気力線の密度を高めることができ、微小物質を試験片５の計測面である金属膜５３に効率よく担持させることができ、試験片５の計測面である金属膜５３における微小物質の担持量を多くすることができる。故に表面プラズモン共鳴を利用した計測装置において、計測感度を向上させることができる。更に試験片５の金属膜５３において微小物質を担持させる担持部分について、電気力線の密度を高めることができるため、外乱等の影響を受けにくくなり、計測精度も向上させることができる。従って同様の試料液１００を用いたとき、計測結果のばらつきを低減させることができる。
【００４２】
更に本実施例によれば、第１電極２は、基部１を厚み方向に沿って延設された針状または棒状とされている。故に第１電極２の先端部２ｘ付近における電気力線の密度を高くでき、官能基（例えばリン酸基等）等の微小物質を電気力線に基づいて金属膜５３の担持部分（検査光８４の入射目標位置Ｍの付近）に集中させることができる。従って、本来的には担持されにくい微小物質であっても、あるいは、試料液１００の微小物質の濃度が少ないときであっても、試験片５の金属膜５３のうち、検査光８４が入射される部位（検査光８４の入射目標位置Ｍ）に効率よく微小物質を集中させて担持することができ、表面プラズモン共鳴を利用して計測するとき、計測感度を良好にできる。
【００４３】
更に本実施例によれば、第１電極２の先端部２ｘは前述したように針状または棒状であり、その先端部２ｘは微小物質供給部６の検査通路６２内に進入している。このため、第１電極２の針状または棒状の先端部２ｘを微小物質供給部６の検査通路６２、ひいては試験片５の金属膜５３に一層接近させることができ、微小物質供給部６の検査通路６２付近における電気力線の密度を高くできる。よって、微小物質を電気力線に基づいて微小物質供給部６の検査通路６２に吸引させるのに有利となる。従って、微小物質を試験片５の金属膜５３に担持させる量を一層確保することができる。故に表面プラズモン共鳴を利用して計測するとき、計測感度を一層良好にできる。更に同一の微小物質を含む試料液１００に対して検査を複数回繰り返して行うときであっても、外乱等の影響を抑えつつ、電界誘導により微小物質を試験片５Ｃの計測面５１Ｃに効率よく担持させることができるため、計測結果のバラツキを低減でき、計測精度を向上させ得る。
【００４４】
また本実施例によれば、電圧印加部７は極性を切替可能である。このため電圧印加部７の切替スイッチ部７１を操作して電圧印加部７の極性を切り替えれば、マイナスの極性をもつ微小物質を試験片５の金属膜５３に担持させたり、プラスの極性をもつ微小物質を試験片５の金属膜５３に担持させたりすることができる。
【００４５】
加えて本実施例によれば、電圧印加部７は上記したように極性を切替可能であるため、微小物質を試験片５の金属膜５３に担持させた状態で、電圧印加部７の極性を切り替えれば、試験片５の金属膜５３に担持されている微小物質の配向を制御することも可能となる。
【００４６】
また本実施例によれば、第２電極３には開口窓３０が検査通路６２、第１電極２に対面するように設けられている。検査光８４は開口窓３０を透過でき、反射光８４ｘも開口窓３０を透過できるため、第２電極３によって検査光８４及び反射光８４ｘが遮られることを抑えることができる。故に表面プラズモン現象を利用した計測を良好に行うことができる。
【００４７】
なお図１に示す実施例は、表面プラズモン共鳴計測装置に適用しているため、発光部８０、受光部８２、偏光フィルタ８５を有しているが、一般的に微小物質誘導装置に適用する場合には、発光部８０、受光部８２、偏光フィルタ８５が設けられていなくても良い。
【００４８】
（第２実施例）
本発明の第２実施例を図４を参照して説明する。本実施例は基本的には第１実施例と同様な構成であり、基本的には同様の作用効果を奏する。以下、相違する部分を中心として説明する。第１電極２は第１実施例と同様に針状または棒状であり、その先端部２ｘは微小物質供給部６の検査通路６２内に進入している。第１電極２の相手である第２電極３Ｂは針状または棒状であり、第１電極２に対向して配置されている。
【００４９】
本実施例によれば、図４に示すように、第１電極２及び第２電極３Ｂは、針状または棒状とされており、互いに対向するように設けられている。故に電気力線の分散を抑え、試験片５の金属膜５３の担持部分における電気力線の密度を高くでき、官能基（例えばリン酸基等）等の微小物質を電気力線に基づいて効率よく集中させて試験片５の金属膜５３に効率よく担持させることができる。よって、表面プラズモン共鳴を利用して計測するとき、計測感度を良好にできる。更に微小物質を含む同様の試料液１００に対して検査を複数回繰り返して行うときであっても、外乱等の影響を抑えつつ、電界誘導により微小物質を試験片５の計測面である金属膜５３に効率よく担持させることができるため、計測結果のバラツキを低減でき、計測精度を向上させ得る。
【００５０】
本実施例によれば、第１電極２の先端部２ｘと第２電極３Ｂの先端部３ｘとを仮想的に結ぶ延長線上付近に、微小物質は電界誘導され易いと推察される。このため試験片５の金属膜５３において検査光８４の入射目標位置Ｍを第１電極２の先端部２ｘと第２電極３Ｂの先端部２ｘとを仮想的に結ぶ延延長線上領域または延長線近傍領域とすれば、試験片５の金属膜５３に担持されている微小物質を効果的に計測できる。
【００５１】
また本実施例によれば、第２電極３Ｂは針状または棒状であるため、検査光８４及びその反射光８４ｘは第２電極３Ｂに邪魔されることなく、第２電極３Ｂの周辺を透過できるため、表面プラズモン現象を利用した計測を良好に行うことができる。なお第２実施例は、表面プラズモン共鳴計測装置へ適用できるが、これに限定されるものではなく、微小物質を電界誘導させる微小物質誘導装置に広く適用できるものである。
【００５２】
（第３実施例）
本発明の第３実施例を図５を参照して説明する。本実施例は基本的には第１実施例と同様な構成であり、基本的には同様の作用効果を奏する。以下相違する部分を中心として説明する。本実施例によれば、試験片５に対面するように設けられた面状の第２電極３には開口窓３０が形成されており、開口窓３０には、島状の電極部３５がアーム状の接続導電部３５ｃを介して形成されている。島状の電極部３５は、面状の第２電極３から接続導電部３５ｃを介して給電される。開口窓３０は検査光８４及びその反射光８４ｘが透過するための開口である。図５に示すように、島状の電極部３５は、第１電極２の先端部２ｘに対向するように第１電極２の先端部２ｘの延長線上に位置に設けられている。この場合、島状の電極部３５と第１電極２とを結ぶ方向に沿って電気力線が集中し易いため、試験片５の計測面の金属膜５３の目標位置（検査光８４の入射目標位置Ｍ付近）に微小物質を集中的に担持させるのに有利である。なお第４実施例は、表面プラズモン共鳴計測装置へ適用できるが、これに限定されるものではなく、微小物質を電界誘導させる微小物質誘導装置に広く適用できるものである。
【００５３】
（第４実施例）
本発明の第４実施例を図６を参照して説明する。本実施例は基本的には第１実施例と同様な構成であり、基本的には同様の作用効果を奏する。以下相違する部分を中心として説明する。発光部８０Ｃは回動しないように固定されている。入射角変更部８６Ｃは、発光部８０Ｃから試験片５の金属膜５３に入射される検査光８４の入射角θ１を相対的に変化させるものである。入射角変更部８６Ｃは、試験片５を保持する試験片保持部４を有する基部１を駆動源８６ｘにより発光部８０Ｃに対して矢印Ｗ３、Ｗ４方向に回動させる。この場合、試験片５が回動する回動中心域は、検査光８４の入射目標位置Ｍである。即ち、検査光８４の入射目標部分は試験片５の回動中心領域であり、第１電極２の延長線上または延長線近傍領域である。
【００５４】
（第５実施例）
本発明の第５実施例を図７を参照して説明する。本実施例は基本的には第１実施例と同様な構成であり、基本的には同様の作用効果を奏する。以下、相違する部分を中心として説明する。本実施例で用いる試験片５Ｄは、表面プラズモン共鳴を利用した計測に使用されるものではなく、従って表面プラズモン共鳴装置で用いる発光部及び受光部は設けられていない。故に第２電極３は、検査光及び反射光を透過させるための前記した開口窓を必要としない。本実施例で用いる試験片５Ｄは、免疫の抗体の計測、酵素の計測、ＤＮＡまたはＲＮＡの計測に使用されるものである。試験片５Ｄは、平坦な表面５２ｆ及び裏面５２ｒを有するガラスまたは樹脂等で形成された均等厚みの透明体５２で形成されており、第１実施例とは異なり、表面５２ｆに金属膜は形成されていない。従って試験片５Ｄの計測面５１は金属物質ではなく非金属物質で形成されており、つまり透明体５２自体の材料で形成されている。試験片５Ｄの計測面５１は第１電極２の先端部２ｘに対向するように設けられている。本実施例においても、第１電極２の先端部２ｘは前述したように針状または棒状であり、その先端部２ｘは微小物質供給部６の検査通路６２内に進入している。この結果、第１電極２の先端部２ｘと試験片５Ｄの計測面５１との間隔Ｌ２は、０．５ミリメートル以下、０．３ミリメートル以下、殊に０．１ミリメートル以下に設定されている。このように第１電極２の針状または棒状の先端部２ｘを試験片５Ｄの計測面５１に接近させているため、試験片５Ｄの計測面５１における担持部分における電気力線の密度を高くできる。よって、電気力線に基づいて微小物質を電界誘導させるのに有利となる。本実施例においても、第１電極２及び第２電極３は、試験片５Ｄの計測面５１を挟む位置に配置されている。
【００５５】
（第６実施例）
本発明の第６実施例を図８を参照して説明する。本実施例は基本的には第１実施例と同様な構成であり、基本的には同様の作用効果を奏する。以下、相違する部分を中心として説明する。本実施例に係る装置では、針状または棒状の第１電極２は基部１にシール摺動部１ｋを介して保持されており、先端部２ｘは入射目標位置Ｍの付近に対向している。第１電極２は第１電極２の長さ方向に沿って微小量移動でき、移動に伴い、先端部２ｘは試験片５の計測面である金属膜５３に対して相対変位可能とされている。駆動部２５は、第１電極２をこれの長さ方向に沿って移動させ、先端部２ｘを試験片５の計測面である金属膜５３に対して相対変位させる。駆動部２５は、バイモルフ型の圧電素子で形成されたアクチュエータ２５ａと、アクチュエータ２５ａを作動させる駆動回路２５ｂとをもつ。この場合、必要に応じて、第１電極２と試験片５の計測面である金属膜５３との距離Ｌを駆動部２５により調整でき、担持部分における電気力線の密度を調整できる。このため、試験片５の計測面である金属膜５３に対する微小物質の担持量を調整できる。なおアクチュエータ２５ａとしては、圧電体を積層させたもので良く、磁歪材料でも良い。
【００５６】
（第７実施例）
本発明の第７実施例を図９を参照して説明する。本実施例は基本的には第１実施例と同様な構成であり、基本的には同様の作用効果を奏する。以下、相違する部分を中心として説明する。容器状の試験片５Ｅを用いる。この場合、抗体、抗原、酵素等の微小物質を有する試料液１００を容器状の試験片５Ｅ（材質：樹脂またはガラス）の容器室５ｍに収容する。この状態で試験片５Ｅの底部である計測面５１Ｅを第１電極２及び第２電極３で挟むように配置させる。計測面５１Ｅには金属膜が形成されていない。そして第１電極２及び第２電極３の間に電圧を印加し、試料液１００に含まれている微小物質を電界誘導し、容器状の試験片５Ｅの計測面５１Ｅに担持させることができる。
【００５７】
（その他）
第１実施例によれば、第１電極２は針状または棒状電極とされているが、これに限らず、場合によっては面状電極でも良い。試験片５は板状とされているが、これに限定されるものではなく適宜変更できる。本発明は上記した表面プラズモン共鳴計測装置への適用に限定されるものではなく、酵素を担持させる試験片としての酵素センサチップ、蛋白質を担持させる試験片としての蛋白質センサチップ等に代表されるように、酵素や蛋白質等の微小物質を電界誘導させる微小物質誘導装置に広く適用できるものである。その他、本発明は上記し且つ図面に示した実施例のみに限定されるものではなく、要旨を逸脱しない範囲内で適宜変更して実施できるものである。上記した記載から次の技術的思想も把握できる。
【００５８】
（付記項１）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部と、試験片の計測面を目標位置とすると共に全反射する条件で検査光を試験片に入射する発光部と、反射した検査光を受光する受光部と、発光部から入射される検査光の試験片に対する入射角を相対的に変化させる入射角変更部とを具備しており、第１電極及び第２電極は、試験片の計測面を挟む位置に配置されており、第１電極及び第２電極に電圧を印加したとき、微小物質供給部の微小物質を第２電極に向けて電界誘導することにより、第１電極と第２電極との間に存在する試験片の計測面に担持させることを特徴とする表面プラズモン共鳴計測装置。この場合、試験片の計測面に担持された微小物質を、表面プラズモン共鳴を利用して計測できる。
【００５９】
（付記項２）付記項１において、第１電極の電極面積は、第２電極の電極面積よりも小さいことを特徴とする表面プラズモン共鳴計測装置。この場合、電気力線の密度を高めることができ、微小物質を目標位置に電界誘導させて担持させるのに有利である。
【００６０】
（付記項３）付記項１において、第１電極の少なくとも先端部と第２電極の少なくとも先端部とのうちの一方または双方は、針状または棒状とされていることを特徴とする表面プラズモン共鳴計測装置。この場合、微小物質を目標位置に電界誘導させて担持させるのに有利である。
【００６１】
（付記項４）付記項１において、微小物質供給部は通路状とされており、第１電極の少なくとも先端部は、針状のまたは棒状とされており、その先端部は通路状の微小物質供給部に進入していることを特徴とする表面プラズモン共鳴計測装置。この場合、微小物質を目標位置に電界誘導させて担持させるのに有利である。
【００６２】
（付記項５）付記項１において、電圧印加部は、第１電極をマイナス極とすると共に第２電極をプラス極とする第１形態と、第１電極をプラス極とすると共に第２電極をマイナス極とする第２形態とに切替可能であることを特徴とする表面プラズモン共鳴計測装置。この場合、異なる極性の微小物質を電界誘導させ得る。更に極性を切り替えれば、微小物質の配向制御に有利である。
【００６３】
（付記項６）付記項１において、検査光の入射目標位置は第１電極の先端部２ｘの延長線上領域または延長線近傍領域であることを特徴とする表面プラズモン共鳴計測装置。この場合、検査光の入射目標位置の付近において電気力線の密度を高めるのに有利であり、電気力線に基づく微小物質の電界誘導を良好に行うことができ、試験片の計測面に微小物質を担持させるのに有利である。
【００６４】
（付記項７）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部とを具備しており、第１電極及び第２電極のうちの少なくとも一方の少なくとも先端部は、第１電極及び第２電極のうちの他方に対向するように設けられ、針状、棒状、島状のいずれかであることを特徴とする微小物質誘導装置。この場合、第１電極と第２電極との間における電気力線の密度を高めるのに有利であり、電気力線に基づく微小物質の電界誘導を良好に行うことができる。
【００６５】
（付記項８）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部とを具備しており、第１電極及び第２電極のうちの少なくとも一方の少なくとも先端部は、針状、棒状、島状のいずれかであることを特徴とする表面プラズモン共鳴計測装置。この場合、第１電極と第２電極との間における電気力線の密度を高めるのに有利であり、電気力線に基づく微小物質の電界誘導を良好に行うことができる。よって分子量等の関係で表面プラズモン共鳴で本来的には計測できないか、あるいは、計測しにくい微小物質であっても、計測性を高めることができる。針状、棒状、島状の部分は、検査光の入射目標位置付近に配置することができる。
【００６６】
（付記項９）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部と、試験片の計測面を目標位置とすると共に全反射する条件で検査光を試験片の計測面に入射させる発光部と、反射した検査光を受光する受光部と、発光部から入射される検査光の試験片に対する入射角を相対的に変化させる入射角変更部とを具備しており、第２電極は、発光部及び受光部と試験片との間に設けられており、第２電極は発光部から発光された検査光及びその反射光を透過する開口窓を有することを特徴とする表面プラズモン共鳴計測装置。この場合、発光部や受光部と試験片との間に第２電極が存在していたとしても、発光部から発光された検査光及びその反射光が第２電極の開口窓を透過する。このため、電界誘導用の第２電極を設けつつも、検査光及びその反射光が第２電極に遮られることなく、表面プラズモン共鳴計測を良好に行うことができる。
【００６７】
（付記項１０）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部とを具備しており、電圧印加部は、第１電極をマイナス極とすると共に第２電極をプラス極とする第１形態と、第１電極をプラス極とすると共に第２電極をマイナス極とする第２形態とに極性切替可能であることを特徴とする微小物質誘導装置。極性を切替えれば、異なる極性を有する微小物質を試験片の計測面に電磁誘導させて担持させることができる。微小物質の配向制御も可能である。
【００６８】
（付記項１１）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部と、試験片の計測面を目標位置とすると共に全反射する条件で検査光を試験片の計測面に入射させる発光部と、反射した検査光を受光する受光部と、発光部から入射される検査光の試験片に対する入射角を相対的に変化させる入射角変更部とを具備しており、電圧印加部は、前記第１電極をマイナス極とすると共に前記第２電極をプラス極とする第１形態と、前記第１電極をプラス極とすると共に前記第２電極をマイナス極とする第２形態とに極性切替可能であることを特徴とする表面プラズモン共鳴計測装置。電圧印加部の極性を切替えれば、異なる極性を有する微小物質を試験片の計測面に電磁誘導させて担持させることができる。微小物質の配向制御も可能である。
【００６９】
（付記項１２）第１電極と、第１電極に対して間隔を隔てて配置された第２電極と、微小物質を担持可能な計測面をもつ試験片を保持する試験片保持部と、試験片の計測面に微小物質を供給する微小物質供給部と、第１電極及び第２電極に電圧を印加する電圧印加部とを具備しており、第１電極は、試験片の計測面に対して相対変位可能とされており、第１電極を試験片の計測面に対して相対変位させることにより、第１電極と試験片の計測面との距離を調整可能な駆動部が設けられていることを特徴とする微小物質誘導装置。この場合、第１電極と試験片の計測面との距離を調整でき、微小物質の種類に応じた適切な担持を行うことができる。
【００７０】
【発明の効果】
本発明に係る微小物質誘導装置によれば、特開平１０−３０７１０４号公報に係る従来技術と異なり、試験片の計測面に電圧印加部から直接的に電圧を印加しないため、放電を抑えつつ、試験片の計測面と第１電極との距離を近づけることができる。よって微小物質を試験片の計測面に効率よく担持させることができ、試験片の計測面における微小物質の担持量を多くすることができ、計測感度や計測精度の向上に有利である。
【図面の簡単な説明】
【図１】第１実施例に係る装置の概念図である。
【図２】微小物質を担持させている状態を模式的に示す概念図である。
【図３】測定時間と共鳴角との関係を示すグラフである。
【図４】第２実施例に係る装置の概念図である。
【図５】第３実施例に係る装置の概念図である。
【図６】第４実施例に係る装置の概念図である。
【図７】第５実施例に係る装置の概念図である。
【図８】第６実施例に係る装置の概念図である。
【図９】第７実施例に係る装置の概念図である。
【図１０】従来技術に係る装置の概念図である。
【符号の説明】
図中、１は基部、２は第１電極、３は第２電極、４は試験片供給部、５は試験片、５１は計測面、５３は金属膜、６は微小物質供給部、７は電圧印加部、８０は発光部、８２は受光部、８４は検査光、８６は入射角変更部を示す。
【図１】
0003918622.tif 000002
【図２】
0003918622.tif 000003
【図３】
0003918622.tif 000004
【図４】
0003918622.tif 000005
【図５】
0003918622.tif 000006
【図６】
0003918622.tif 000007
【図７】
0003918622.tif 000008
【図８】
0003918622.tif 000009
【図９】
0003918622.tif 000010
【図１０】
0003918622.tif 000011